(57)【要約】      （修正有）【課題】顔等の肌に可視光線又は近赤外線を照射し、かつ水分等潤いと保湿性を与える美肌効果の高い美容装置を提供する。【解決手段】可視光域である４００〜４５０ｎｍまたは可視光〜近赤外域である６５０〜９００ｎｍの波長域に発光ピークを有する発光ダイオード６，６……を備え、これら波長域の光を照射する光照射部３と、加熱された高温スチームと超音波振動により生成された低温スチームスチームを吹出すスチームノズル４と、を具備している。【選択図】  図１
2007330690.tif 000002
【特許請求の範囲】
【請求項１】
４００〜４５０ｎｍまたは６５０〜９００ｎｍの波長域に発光ピークを有する発光ダイオードを備え、これら波長域の光を照射する光照射部と；
スチームを吹出すスチーム吹出部と；
を具備していることを特徴とする美容装置。
【請求項２】
波長６５０〜９００ｎｍの光の放射照度が所定の放射面上で３０ｍＷ／ｃｍ２以上であることを特徴とする請求項１記載の美容装置。
【請求項３】
スチーム吹出部は、加熱された高温スチームと、超音波振動により生成された低温スチームとをそれぞれ吹出すノズルを具備していることを特徴とする請求項１または２記載の美容装置。
【請求項４】
光照射部とスチーム吹出部は、把持可能な本体に配設されていることを特徴とする請求項１ないし３のいずれか一記載の美容装置。
【請求項５】
光照射部とスチーム吹出部は、卓上置型の本体に配設され、光照射部とスチーム吹出部の少なくとも一方は、この本体に着脱可能かつ把持可能に構成されていることを特徴とする請求項１ないし３のいずれか一記載の美容装置。
【発明の詳細な説明】
【技術分野】
【０００１】
本発明は使用者に美容効果等を与える美容装置に関する。
【背景技術】
【０００２】
従来、この種の美容装置の一例としては、所定波長の光を照射する光照射部と、イオンを発生するイオン発生部と、を具備し、美肌効果を与えるものが知られている（例えば特許文献１参照）。
【特許文献１】特開２００５−１６８８９４号公報
【発明の開示】
【発明が解決しようとする課題】
【０００３】
このような従来の美容装置は、顔等の肌に近赤外光を照射して皮膚細胞を刺激し、小皺やしみを減らすものであるが、近赤外光の照射によって皮膚が温度上昇して肌が不所望に乾燥する虞れがある。乾燥は皺等肌に悪影響を与えるので、美肌効果を得るためには、肌に光を照射すると共に、水分等潤いと保湿性を与える必要がある。
【０００４】
本発明はこのような事情を考慮してなされたもので、美肌効果の高い美容装置を提供することを目的とする。
【課題を解決するための手段】
【０００５】
請求項１に係る美容装置は、４００〜４５０ｎｍまたは６５０〜９００ｎｍの波長域に発光ピークを有する発光ダイオードを備え、これら波長域の光を照射する光照射部と、スチームを吹出すスチーム吹出部と、を具備していることを特徴とする。
【０００６】
請求項２に係る美容装置は、波長６５０〜９００ｎｍの光の放射照度が所定の放射面上で３０ｍＷ／ｃｍ２以上であることを特徴とする。
【０００７】
請求項３に係る美容装置は、スチーム吹出部は、加熱された高温スチームと、超音波振動により生成された低温スチームと、をそれぞれ吹出すノズルを具備していることを特徴とする。
【０００８】
請求項４に係る美容装置は、光照射部とスチーム吹出部は、把持可能な本体に配設されていることを特徴とする。
【０００９】
請求項５に係る美容装置は、光照射部とスチーム吹出部は、卓上置型の本体に配設され、光照射部とスチーム吹出部の少なくとも一方は、この本体に着脱可能かつ把持可能に構成されていることを特徴とする。
【発明の効果】
【００１０】
請求項１に係る美容装置によれば、人の肌や毛髪に、光照射部から４００〜４５０ｎｍ、または６５０〜９００ｎｍの波長域の光を照射すると共に、スチーム吹出部からスチームを吹き付けることができる。
【００１１】
このために、例えば４００〜４５０ｎｍの波長を含む光が肌に照射される場合には、この光がニキビの原因となるアクネ菌等を直接または間接的に殺菌し、ニキビを治療することができる。
【００１２】
しかも、アクネ菌は一般に、毛穴の中に存在するが、スチームの吹き付けにより毛穴を十分に開かせてから光を照射することができるので、アクネ菌の殺菌作用を向上させ、ひいてはニキビの治療効果を向上させることができる。
【００１３】
また、肌に波長が６５０〜９００ｎｍの光が照射される場合には、その照射光中の７００〜８００ｎｍの遠赤外線により肌の染みを改善する等肌質を改善することができる。
【００１４】
しかも、これら光の照射中にスチームが肌に吹き付けられるので、照射光により乾燥しがちな肌に潤いと保湿性とを与え、新陳代謝を促進向上させることができる。これにより、積極的な肌質の改善効果を得ることができる。
【００１５】
そして、光照射時にスチームも同時に吹き付けるので、この照射光がスチームの多数の細かい水粒子により散乱される。このために、眩しさを緩和することができる。さらに、肌に光照射の前後に、スチームを吹き付けることにより、光照射前に毛穴を開いて光照射効果を向上させ、光照射後は乾燥し勝の肌に潤いと保湿性を与えることができる。
【００１６】
請求項２に係る美容装置によれば、波長６５０〜９００ｎｍの光の照射照度が３０ｍＷ／ｃｍ２以上であるので、太陽光を超える照射照度である。
【００１７】
また、太陽光と発光ダイオードの照射光は、照射照度が弱く連続的であるので、照射エネルギーが同じでも、皮膚温度の上昇は緩和され、熱変性は抑制される。
【００１８】
すなわち、皮膚温度の上昇により熱変性を発生させずに細胞エネルギーの源であるミトコンドリアを活性化することができる。このために、肌の細胞増殖やコラーゲン、エラスチンの増加を促進し、美肌効果を得ることができる。
【００１９】
請求項３に係る美容装置によれば、肌に、高温のスチームと低温のスチームを交互に吹き付けることにより、いわばミストサウナのような環境を肌に与えることができる。このために、肌の老廃物を体外に排出し、肌を引き締め、弾性復原力を回復または向上させることができる。
【００２０】
請求項４に係る美容装置によれば、光照射部とスチーム吹出部を具備している本体が把持可能であるので、この美容装置を取扱う際の容易性を向上させることかできる。
【００２１】
請求項５に係る美容装置によれば、光照射部とスチーム吹出部の少なくとも一方は、卓上型本体に着脱可能および把持可能に構成されているので、必要に応じて光照射部とスチーム吹出部の少なくとも一方を、卓上置型本体から取外し、把持して使用することができる。このために、美容装置の使い勝手を向上させることができる。
【発明を実施するための最良の形態】
【００２２】
以下、本発明の実施形態を図面に基づいて説明する。なお、複数の図面中、同一または相当部分には同一符号を付している。
【００２３】
図１（Ａ）は本発明の第１の実施形態に係るハンディータイプの美容装置の正面図、同（Ｂ）は同（Ａ）の側面図である。
【００２４】
図１（Ａ）、（Ｂ）に示すようにハンディータイプの美容装置１は、合成樹脂製等の本体２に、光照射部３と複数のスチーム吹出部の一例であるスチームノズル４，４……を配設している。
【００２５】
本体２は楕円盤状の上部本体２ａを有し、この上部本体２ａの長径方向一端部（図１では下端部）に、この上部本体２ａよりも小径の扁平・楕円筒状のグリップ２ｂを一体に連成して携帯可能のハンディータイプに構成されている。
【００２６】
グリップ２ｂは把持可能の寸法や形状に形成されている。上部本体２ａは、その前面中央部に、例えば黒い楕円筒状の遮光ガイド５を同心円状に立設している。
【００２７】
遮光ガイド５は耐熱性と耐湿性が高いシリコーンゴム等の弾性材により形成され、軸方向両端が開口されている。遮光ガイド５の軸長、すなわち、外方突出高さは、例えば１０〜３０ｍｍに形成されており、光照射部３と肌の放射面までの間隔を常に適切な間隔を保持する高さに設定され、その頂端上に所定放射面が設定される。
【００２８】
この遮光ガイド５により囲まれた内側では、上部本体２ａの前面中央部上にて、複数の発光ダイオード６，６，６……を所定の配列により配設して、光照射部３を構成している。
【００２９】
これら発光ダイオード６，６……としては波長が４００〜４５０ｎｍの青色光を発光するものと、波長が６５０〜９００ｎｍの赤色光〜深色光を発光するものおよび赤〜深赤色〜近赤外線を発光するものの少なくとも一方を混在させている。
【００３０】
青色光を発光する発光ダイオード６，６……としては、例えばＩｎＧａＮ系を使用し、赤〜深赤色を発光する発光ダイオード６，６……としては例えばＡｌＩｎＧａＰ系またはＡｌＧａＡｓ系を使用し、赤〜深赤色〜近赤外線を発光する発光ダイオード６，６……としては例えばＧａＡｓＰ系を使用している。
【００３１】
これら発光ダイオード６，６……は、図示しない点灯回路により、上記所定放射面上の照射照度が３０ｍＷ／ｃｍ２以上になるように点灯され、この点灯回路は本体２内に配設されている。また点灯回路は上記２波長領域（４００〜４ｎｍと６５０〜９００ｎｍ）毎に別々に点灯させ、または同時に点灯可能に構成されており、これら点灯モードをそれぞれ選択するための選択スイッチ７がグリップ２ｂの外面に配設されている。
【００３２】
そして、上部本体２ａは、その前面に、遮光ガイド５の外側にて、複数のスチームノズル４，４……を周方向に所要のピッチを置いて配設している。
【００３３】
これら各スチームノズル４は、本体２内に内蔵されている図示しないスチーム発生器のスチーム噴出口に接続されている。スチーム発生器は図示しない水タンクと、この水タンクからの水を加熱して高温スチームを発生させる電気ヒータ等の加熱装置を具備して高温スチームを発生させるようになっている。これら水タンクと加熱装置は本体２内に内蔵されている。水タンクは、本体２の外面に穿設された図示しない開閉自在の給水孔と排水孔とにそれぞれ接続されており、この吸水孔から水タンク内に随時給水できる一方、排水孔から水タンク内の貯水を随時排水できる。
【００３４】
なお、図１（Ａ）、（Ｂ）中、符号８は電源をオンオフするパワースイッチであり、本体２内に内蔵されている図示しないバッテリーをオンオフ制御する。バッテリーは所定電圧のＤＣ（直流）電力を発光ダイオード６，６……の点灯回路と蒸気発生装置の電気ヒータ等の加熱装置に給電する。
【００３５】
したがって、このハンディータイプの美容装置によれば、そのグリップ２ｂをユーザが把持し、顔等の肌や毛髪の所要の部位に、上部本体２ａの前面を向け、その状態でパワースイッチ８をオンすると、図示しないバッテリーから所要の直流電力が蒸気発生装置の加熱装置と発光ダイオード６，６……の点灯回路にそれぞれ与えられる。
【００３６】
これにより、スチーム発生器で高温のスチームが発生し、各スチームノズル４から高温のスチームが吹き出し、顔等の肌に吹き当てられる。
【００３７】
また、このとき、光照射部３の複数の発光ダイオード６，６……が点灯回路により点灯され、これら発光ダイオード６，６……から４００〜４５０ｎｍの波長域と、６５０〜９００ｎｍの波長域の少なくとも一方の光が肌に３０ｍＷ／ｃｍ２以上で照射される。
【００３８】
この光照射モードは、波長４００〜４５０ｎｍの青色光と、波長６５０〜９００ｎｍの赤〜深赤色、近赤外線がほぼ同時に点灯する同時点灯モードと、これら光がそれぞれ単独に点灯する単独点灯モードとがあり、これら点灯（照射）モードは選択スイッチ７により選択することができる。
【００３９】
点灯（照射）モードの選択により波長４００〜４５０ｎｍの青色光が肌や髪に照射されると、ニキビの原因となるアクネ菌を直接または間接的に殺菌し、ニキビを治療することができる。
【００４０】
また、アクネ菌は一般に毛穴の中に存在するが、スチームノズル４による高温スチームの吹き付けにより毛穴を十分に開かせてから波長４００〜４５０ｎｍの青色光を照射するので、アクネ菌の殺菌作用を向上させ、ひいてはニキビの治療効果を向上させることができる。また、肌にスチームを吹き当てることにより、光照射による肌の乾燥を防止し、新陳代謝を促進させると共に潤いと保湿性を与えることができる。
【００４１】
さらに、肌に波長６５０〜９００ｎｍの光を照射する場合には、その照射光中の波長７００〜８００ｎｍの光により肌の染みが改善され、スチームによる新陳代謝の促進との相乗効果により、積極的な肌質の改善効果を奏することができる。また、これら光の照射による肌の乾燥をスチームにより防止し、潤いを与えることができる。
【００４２】
さらにまた、波長８００〜９００ｎｍの近赤外線の照射により、細胞エネルギーの源であるミトコンドリアが活性化され、ひいてはＡＴＰの生産が増大して細胞増殖やコラーゲン、エラスチンの増加を促進させることができる。この効果は波長６５０〜７００ｎｍの赤色光によっても同様の効果がある。
【００４３】
そして、これら発光ダイオード６，６……の発光は、太陽光と同様に照射強度がレーザ光と比較して弱く連続的であるので、同じ照射エネルギーでも皮膚温度の上昇は緩やかで、熱変性を発生させる６０℃以下である。また、放射照度が１３６ｍＷ／ｃｍ２程度までは、細胞組織の熱変性は発生しないとされている。
【００４４】
したがって、この発光ダイオード６……の場合、所定の放射面における放射照度が３０ｍＷ／ｃｍ２以上１３６ｍＷ／ｃｍ２未満であるので、皮膚の熱変性を防止しつつミトコンドリアを活性化する上記効果を奏することができる。
【００４５】
また、遮光ガイド６の突出高が光の照射間隔を適切に保つ所定高さに設定されているので、所定高さよりも近い距離で光が肌に照射されるのを防止することができ、安全性を向上させることができる。
【００４６】
さらに、遮光ガイド６が弾性を有するシリコーンゴム製であるので、この遮光ガイド６が肌に衝当して怪我をするのを防止または低減することができる。
【００４７】
そして、光照射部３の照射光はスチームノズル４，４……から吹き出されるスチームの多数の細かい水粒子により拡散されるので、眩しさを軽減することができる。
【００４８】
なお、上記実施形態では、高温スチームを吹出すスチームノズル４を設ける場合について説明したが、本発明はこれに限定されるものではなく、例えば水に超音波を照射して低温のスチームを発生させる低温スチーム発生装置と、この低温のスチームを肌に吹き当てる低温スチームノズルを設け、低温スチームと高温スチームを交互に吹出すように構成してもよい。
【００４９】
これによれば、肌に、高温のスチームと低温のスチームを交互に吹き付けることにより、いわばミストサウナのような環境を肌に与えることができる。このために、肌の老廃物を体外に排出し、肌を引き締め、弾性復原力を回復または向上させることができる。
【００５０】
図２（Ａ）〜（Ｄ）は、本発明の第２の実施形態に係る卓上形美容装置１Ａ１〜１Ａ４の外観構成をそれぞれ示す正面図である。
【００５１】
図２（Ａ）に示す卓上形美容装置１Ａ１は、その本体２ｘを、卓上に設置可能の大きさと形状に形成しており、例えば角筒状本体の頂端面（図中上端面）を図中上方に凸のドーム状に形成し、さらに、各側面の角部を面取りして全体として丸味のある形状に形成している。
【００５２】
そして、この美容装置１Ａ１は、その本体２ｘの上部側面に、例えば楕円形のスチームノズル４Ａを形成し、このスチームノズル４Ａの外周部に、そのスチームノズル４ａを囲むように上記複数の発光ダイオード６，６……を配設している。
【００５３】
そして、この卓上形美容装置１Ａ１は、その本体２ｘ内に、発光ダイオード６，６……を点灯する図示しない上記点灯回路およびバッテリーや電源装置と、スチームノズル４Ａにスチームを供給するスチーム発生器および水タンクを内蔵している。
【００５４】
また、本体２ｘの外面には図示省略した上記パワースイッチ８、点灯（照射）モード選択スイッチ７、水タンクに連通する開閉自在の給水孔および排水孔をそれぞれ配設している。
【００５５】
図２（Ｂ）で示す卓上形美容装置１Ａ２は、図１（Ａ）で示す卓上形美容装置１Ａ１において、その発光ダイオード６，６……を備えた光照射部３Ａを、スチームノズル４Ａの下方にて着脱可能に埋設した点に特徴がある。
【００５６】
すなわち、この美容装置１Ａ２は、光照射部３Ａの本体３Ａ１を、角筒状等把持可能のハンディータイプに構成し、スチームノズル４Ａの下方にて、本体２ｘの外面に、この光照射部本体３Ａ１を嵌入させる嵌合凹部を形成し、着脱自在に構成した点に特徴がある。これによれば、光照射部３Ａが把持可能のハンディータイプに構成されているので、この光照射部３Ａの使い勝手が向上する。また、この光照射部３Ａの使用後は卓上形本体２ｘの埋設用凹部内に収納できる。
【００５７】
そして、光照射部３Ａは、その内部に、発光ダイオード６，６……の点灯回路とバッテリーを配設してもよいが、これら点灯回路とバッテリーは本体２ｘに設けてもよい。
【００５８】
図２（Ｃ）で示す卓上形美容装置１Ａ３は、図２（Ｂ）で示す角筒状の光照射部３Ａの本体３Ａ１を、本体２ｘとは別体３Ｂ１のハンディータイプに形成した点に特徴がある。
【００５９】
この光照射部３Ｂはコード９を介して本体２ｘ内の点灯回路に電気的に接続されている。但し、光照射部３Ｂは、その角筒状本体３Ｂ１内に、発光ダイオード６，６……の点灯回路とバッテリーを内蔵してもよく、これによればコード９を省略することができる。このために、光照射部３ｂの使い勝手を向上させることができる。
【００６０】
図２（Ｄ）で示す卓上形美容装置１Ａ４は、図２（Ｃ）で示すハンディータイプの光照射部３Ｂに、スチームノズル４Ｂを設けたハンディータイプの光照射部３Ｃに特徴がある。
【００６１】
すなわち、光照射部３Ｃは把持可能のハンディータイプの本体３Ｃ１の先端部前面に、スチームノズル４Ｂを設け、このスチームノズル４Ｂの外周に、複数の発光ダイオード６，６……を環状等所要配列で配設している。
【００６２】
また、光照射部本体３Ｃ１は、その内部に、スチームノズル４Ｂに連通する図示しないスチーム流路を軸方向に形成し、このスチーム流路の入口にスチームホース１０の一端を接続している。このスチームホース１０の他端は卓上形本体２ｘのスチーム出口に接続され、このスチーム出口は卓上形本体２ｘ内の図示しないスチーム流路を介してスチーム発生器のスチーム出口に接続されている。
【００６３】
なお、発光ダイオード６，６……の点灯回路はハンディータイプの光照射部本体３Ｃ１内に設けてもよく、卓上形本体２ｘ内に設けてもよい。後者の場合は、発光ダイオード６，６……を卓上形本体２ｘ内の点灯回路に電気的に接続する配線が必要である。
【００６４】
以上、卓上形美容装置１Ａ１〜１Ａ４は、上記ハンディータイプの美容装置１と同様に、肌や髪に、複数の発光ダイオード６，６……から上記２波長域（４００〜４５０ｎｍ、６５０〜９００ｎｍ）の光をそれぞれ照射し、スチームノズル４Ａ，４Ｂから高温スチームを吹き付けることができる。
【００６５】
このために、上記ハンディータイプの美容装置１と同様の肌の美肌効果を奏することができる。
【００６６】
図３は本発明の第３の実施形態に係る美容装置１Ｂの要部縦断面である。この美容装置１Ｂは、複数の発光ダイオード６，６，６……として指向性を有する砲弾形の複数の発光ダイオード６ａ，６ａ……を使用し、これら砲弾形の発光ダイオード６ａ，６ａ……の焦点Ｆを遮光ガイド５の開口端５ａ上の中心に設定する点に特徴があり、これ以外の構成は上記美容装置１と同様である。
【００６７】
すなわち、美容装置１Ａは指向性を有する砲弾形の発光ダイオード６ａ，６ａ……として例えば指向半値角が３０°のＧａＡｌＡｓの発光ダイオードを使用する。そして、これら発光ダイオード６ａ，６ａ……を取付ける上部本体２ａの取付壁を内外２重壁２ａ１，２ａ２に構成すると共に、これら２重壁２ａ１，２ａ２を内方に凹む凹孤面にそれぞれ形成している。これら凹孤面は、発光ダイオード６ａ，６ａ……を取付ける２重壁２ａ１，２ａ２の当該外壁２ａ１に、これら指向性を有する発光ダイオード６ａ，６ａ……を取付けたときに、これら発光ダイオード６ａ，６ａ……の照射光が焦点Ｆでそれぞれ集光する曲率により形成されている。したがって、この外壁２ａ１に発光ダイオード６ａ，６ａ……を取付けることにより、これら発光ダイオード６ａ，６ａ……の焦点Ｆを容易に設定することができる。
【００６８】
また、２重壁２ａ１，２ａ２は、その外壁２ａ１と内壁２ａ２との間に、その板厚方に所要の間隙を形成して通風路２ａ３を形成し、外壁２ａ１には、この通風路２ａ３に連通する所要大の複数の通風孔２ａ４を所要ピッチを置いて穿設している。
【００６９】
したがって、この美容装置１Ａによれば、複数の発光ダイオード６ａ，６ａ……の各照射光を焦点Ｆに集光するので、これら各発光ダイオード６ａ，６ａ……の各照射光の出力が低出力であっても、肌等の放射面上の焦点Ｆにおいて、必要な放射照度を得ることができる。
【００７０】
さらに、個々の発光ダイオード６ａ，６ａ……の出力を低減できるので放熱性能もよく発光効率が改善される。このために、電源としてバッテリーを使用することも可能である。しかも、そのバッテリーの駆動時間の延長が可能である。
【００７１】
さらに焦点Ｆの周囲を囲む遮光ガイド５を設けたので、必要以上に皮膚や頭皮が光源に接触することもなく安全に利用できる。さらに、焦点Ｆよりも遠い位置においては光照度が弱くなるので、誤使用時における眼球への悪影響を低減できる。また、遮光ガイド５の遮光材料によっては美肌に不必要な光を除去できるという相乗効果を奏することがもきる。
【００７２】
そして、発光ダイオード６ａ，６ａ……の発熱を自然対流により通風孔２ａ４を通して通風路２ａ３へ放熱し、さらにこの通風路２ａ３から通風孔２ａ４を通して外気に放熱させ、冷却することができる。このために、発光ダイオード６ａ，６ａ……の昇温による性能低下を防止または低減することができる。また、発光ダイオード６ａ，６ａ……の発熱を自然対流により冷却することが出来るので、冷却ファン等の強制冷却手段を別途設ける必要がない。
【００７３】
図４は、本発明の第３実施形態に係る美容装置１Ｃの要部平面図である。この美容装置１Ｃは図２に示す卓上形美容装置の本体２ｘに取付けられるものであり、例えば平面形状が円形の本体１１の前面の反射面１２上に、白色発光の環形蛍光ランプ１３を配設し、この環形蛍光ランプ１３の環形内側の反射面１２上に、光照射部３Ｃを配設した点に特徴がある。
【００７４】
環形蛍光ランプ１３は例えば１３Ｗの細管環形蛍光ランプであり、この環形蛍光ランプ１３を単独で点、消灯できるオン／オフスイッチ（図示省略）を本体１１に配設している。
【００７５】
光照射部３Ｃは、上記光照射部３と同様に、４００〜４５０ｎｍの波長域と、６５０〜９００ｎｍの波長域の２波長域で発光ピークを有する複数の発光ダイオード６，６……を備えており、これら２波長域の光をスチームが吹き付けられた所定の肌領域にそれぞれ照射し、合計の最大電力は２１Ｗである。
【００７６】
光照射部３Ｃは平行光を出力するように個々の発光ダイオード６，６……の反射面１２への取付角度をそれぞれ設定しており、照射方向前方２〜３ｍの所定の照射面で放射照度が一定するように構成されている。その放射照度は例えば約３０ｍＷ／ｃｍ２である。
【００７７】
そして、本体１１には、点灯モード選択スイッチ（図示省略）を設けている。点灯モード選択スイッチは、発光ダイオード６，６……の２波長域（４００〜４５０と６５０〜９００ｎｍ）の光の同時点灯、その一方の波長域のみの単独点灯モードを選択するものであり、例えば押す毎に、これら点灯モードを順次選択できるトグルスイッチを使用してもよい。
【００７８】
したがって、この美容装置１Ｃによれば、発光ダイオード６，６，６……の点灯時、特に６５０〜９００ｎｍの波長域の光を肌に照射する時に、蛍光ランプ１３を、その単独のオン／オフスイッチにより同時に点灯させることができる。
【００７９】
このために、蛍光ランプ１３の白色光により肌の照射部位を照明して目視し易くなるうえに、人の瞳孔を収縮させるので、網膜の感度が非常に低い７５０〜９００ｎｍの近赤外線が網膜に照射される光量を低減できる。これにより、網膜の危険性を低減できる。
【００８０】
また、光照射部３Ｃと環形蛍光ランプ１３とを同時点灯させることにより、光照射部３Ｃからの光が照射される顔や肌、頭髪等を、環形蛍光ランプ１３の白色光により照明できる。このために、ユーザは、肌等のマッサージや化粧をしながら美肌効果を得ることができる。また、ユーザは雑誌を見ながら光照射部３Ｃからの光の照射を受けることができる。
【００８１】
一方、光照射部３Ｃのみを点灯し、環形蛍光ランプ１３を消灯させることにより、ユーザは睡眠中に光照射部３Ｃからの光を受けて美肌効果を得ることができる。
【００８２】
また、発光ダイオード６，６……のＲＧＢ（赤、緑、青）色を適宜制御することにより、照明光としての色温度を幅広く調節することができる。
【００８３】
なお、本発明は、図１（Ａ）、（Ｂ）で示す光照射部３の外周に、上記環形蛍光ランプ１３を配設してもよい。これによれば、上記美容装置１Ｃとほぼ同様の効果を得ることができる。また、スチーム吹出し部２Ａが設けられた図２の装置本体２ｘから取外し、光照射機能のみを有する美容装置として使用してもよい。
【図面の簡単な説明】
【００８４】
【図１】（Ａ）は本発明の第１実施形態に係るハンディータイプの美容装置の正面図、（Ｂ）は同（Ａ）の側面図。
【図２】（Ａ）〜（Ｄ）は本発明の第２実施形態に係る卓上形美容装置の４例の各正面図。
【図３】本発明の第３実施形態に係る美容装置の要部縦断面図。
【図４】本発明の第４実施形態に係る美容装置の要部平面図。
【符号の説明】
【００８５】
１，１Ｂ…ハンディータイプの美容装置、１Ａ１〜１Ａ４…卓上形の美容装置、１Ｃ…美容装置、２，２ｘ，１１…本体、３…光照射部、４，４Ａ，４Ｂ…スチームノズル、５…遮光ガイド、６，６ａ…発光ダイオード、７…点灯モード選択スイッチ、１２…反射面、１３…環形蛍光ランプ。
【図１】
2007330690.tif 000003
【図２】
2007330690.tif 000004
【図３】
2007330690.tif 000005
【図４】
2007330690.tif 000006